(57)【要約】【課題】着け心地が良く、マスクとともに長時間装着しても不快に感じにくいマスク支持具を提供する。【解決手段】マスク支持具１は、マスク装着時に口及び鼻の周辺の空間を確保するフレーム部材２と、フレーム部材２に着脱自在に取り付けられたカバー部材３とを備え、フレーム部材２は、樹脂材によって成形され、片側に凸状に膨らんだ曲面構造を持ち、顔面にフィットする形状の縁部４と、通気性のあるメッシュ面５とによって構成され、カバー部材３は、所定の布素材によってリング状に形成され、縁部４の全周を覆うようにフレーム部材２に取り付けられている。【選択図】図１
0003231137.tif 000002
【実用新案登録請求の範囲】
【請求項１】
マスク装着時に口及び鼻の周辺の空間を確保するフレーム部材と、フレーム部材に着脱自在に取り付けられたカバー部材とを備え、
前記フレーム部材は、片側に凸状に膨らんだ曲面構造を持ち、顔面にフィットする形状の縁部と、通気性のあるメッシュ面とによって構成され、
前記カバー部材は、所定の布素材によってリング状に形成されて前記縁部の全周を覆うとともに、前記フレーム部材に対して着脱可能であることを特徴とするマスク支持具。
【請求項２】
前記メッシュ面の膨らみは、前記縁部を顔の口及び鼻を囲む位置に当てた際に、前記メッシュ面が肌に接触しない高さに形成され、前記メッシュ面の最も高く膨らんだ頂上部は、装着時に鼻先を覆う箇所に位置するように設けられていることを特徴とする請求項１記載のマスク支持具。
【請求項３】
前記布素材は、吸汗性と速乾性と接触冷感性とを有する機能性素材であることを特徴とする請求項１又は２記載のマスク支持具。
【考案の詳細な説明】
【技術分野】
【０００１】
本考案は、マスク支持具に関し、詳しくは、口及び鼻を覆うマスクを立体的に支持する器具に関する。
【背景技術】
【０００２】
従前より、口及び鼻を覆う衛生用のマスクの平面的に形成されたフィルター部分が、口や鼻に接触することを防ぐマスク支持具が提案されている（例えば、特許文献１参照）。
【先行技術文献】
【特許文献】
【０００３】
【特許文献１】実用新案登録第３２２６９６９号公報
【考案の概要】
【考案が解決しようとする課題】
【０００４】
しかしながら、特許文献１のようなマスク支持具は、肌と接触する部材の材質によっては、装着の際に肌への当たりが悪かったり、汗をかいた際に接触部位がべたついたりして違和感を生じるおそれがあった。
【０００５】
また、長時間装着する場合、マスクで覆われた部分に熱気がこもることで、暑さを感じ、不快になりやすいという問題もあった。
【０００６】
そこで本考案は、着け心地が良く、マスクとともに長時間装着しても不快に感じにくいマスク支持具を提供することを目的としている。
【課題を解決するための手段】
【０００７】
上記目的を達成するため、本考案のマスク支持具は、マスク装着時に口及び鼻の周辺の空間を確保するフレーム部材と、フレーム部材に着脱自在に取り付けられたカバー部材とを備え、前記フレーム部材は、片側に凸状に膨らんだ曲面構造を持ち、顔面にフィットする形状の縁部と、通気性のあるメッシュ面とによって構成され、前記カバー部材は、所定の布素材によってリング状に形成されて前記縁部の全周を覆うとともに、前記フレーム部材に対して着脱可能であることを特徴としている。
【０００８】
また、前記メッシュ面の膨らみは、前記縁部を顔の口及び鼻を囲む位置に当てた際に、前記メッシュ面が肌に接触しない高さに形成され、前記メッシュ面の最も高く膨らんだ頂上部は、装着時に鼻先を覆う箇所に位置するように設けられていることを特徴としている。
【０００９】
さらに、前記布素材は、吸汗性と速乾性と接触冷感性とを有する機能性素材であることを特徴としている。
【考案の効果】
【００１０】
本考案のマスク支持具によれば、フレーム部材によってマスクのフィルター部分が顔に密着することなく口及び鼻を覆うので、マスクを装着しても口及び鼻周りの空間を確保でき、化粧崩れを防ぐとともに、マスクの装着に伴う息苦しさが軽減され、会話もしやすくなり、フレーム部材の縁部に布素材で形成されたカバー部材を取り付けたことから、フレーム部材の肌への当たりが改善して着け心地の良さが向上しカバー部材が着脱自在に構成されていることから、カバー部材だけ取り外して洗浄できるのでマスク支持具を清潔に保ちやすく、カバー部材が劣化しても新しいものに交換すればよいので経済的である。
【００１１】
また、メッシュ面の頂上部が、マスク支持具の装着時に鼻を覆う箇所に位置するように設けられていることから、メッシュ面の膨らみが顔の凹凸に沿ったものとなってマスク支持具が確保する空間を最小限にできるので、マスクとともに装着してもマスクと顔との間に隙間を作ることがなく、マスクの密着性を阻害しない。
【００１２】
さらに、カバー部材が、汗を吸い、蒸れにくく、接触冷感によって熱気を感じにくい素材で形成されているので、着け心地が良く、マスク１１とともに長時間装着しても不快に感じにくい。
【図面の簡単な説明】
【００１３】
【図１】本考案の形態例であるマスク支持具を示す概略図である。
【図２】図１のマスク支持具に取り付けるカバー部材の概略図である。
【図３】図２のカバー部材の製造工程を示す説明図である。
【図４】マスク支持具とともにマスクが装着された状態を示す説明図である。
【考案を実施するための形態】
【００１４】
図１は、本考案の一形態例であるマスク支持具１を示す概略図である。図１に示すように、マスク支持具１は、マスク装着時に口及び鼻の周辺の空間を確保するフレーム部材２と、フレーム部材２に着脱自在に取り付けられたカバー部材３とを備えている。
【００１５】
フレーム部材２は、ポリエステルやポリエチレン等の樹脂材によって形成され、片側に凸状に膨らんだ曲面構造を持ち、顔面にフィットする形状の縁部４と、通気性のあるメッシュ面５とによって構成されている。
【００１６】
ここで、顔面にフィットする形状とは、マスクが覆う範囲内において、鼻梁を横切り、頬及び顎を通って口及び鼻を囲うことができる、顔面に沿った曲線の形状を指す。
【００１７】
フレーム部材２のメッシュ面５の膨らみは、縁部４を顔の口及び鼻を囲む位置に当てた際に、メッシュ面５が肌に接触しない程度の高さに形成されている。また、メッシュ面５の最も高く膨らんだ頂上部６は、装着時に鼻先を覆う箇所に位置するように設けられている。
【００１８】
また、頂上部６が鼻先を覆う箇所にあることで、頂上部６付近のメッシュ面５の形状が鼻の形に沿った曲面を形成しており、マスクのノーズワイヤーをフィットさせやすくなっている。
【００１９】
図２は、カバー部材３の概略図である。図２に示すように、カバー部材３は、帯状の布素材３ａを二つ折りにしてリング状に形成したものであり、ゴム紐３ｂにより伸縮する縁部差込口７と、袋状の縁部保持部８とを備えている。
【００２０】
図３は、カバー部材３の製造工程を示す説明図である。図３に示すように、カバー部材３は、帯状にした布素材３ａの長辺の両方を折り込んでできた隙間のそれぞれにゴム紐３ｂを挿入し、短辺同士を縫い合わせてリング状にしたうえで、長辺に沿う中央のラインで二つ折りにすることによって形成されている。
【００２１】
このとき、折り合わさった布素材３ａの両長辺が縁部差込口７をなし、折り返されて袋状になった布素材３ａの中央部分が縁部保持部８をなしている。
【００２２】
したがって、カバー部材３は、縁部差込口７を適宜伸縮させて図１のフレーム部材２の縁部４を縁部差込口７から縁部保持部８内に差し込ませることで、図１に示した通り、縁部４の全周を覆うようにフレーム部材２に着脱自在に取り付けることができる。
【００２３】
ここで、カバー部材３に用いられる布素材３ａは、ポリエステル、ポリウレタン、ナイロン等の繊維によって織られ、肌触りがよく、吸汗性と速乾性と接触冷感性とを有する機能性素材である。
【００２４】
図４は、マスク支持具１とともにマスク１１が装着された状態を示す説明図である。図４に示すように、マスク支持具１とともにマスク１１を装着する場合、ユーザは、フレーム部材２のメッシュ面５の頂上部６がある側を上方にして、メッシュ面５にマスク１１のフィルター部分を被せるようにしてマスク１１を重ね、カバー部材３に覆われた部分を口及び鼻を覆うように顔に当てて装着する。
【００２５】
このとき、マスク支持具１は、装着されたマスク１１のフィルター部分によってユーザの顔に押し当てられて固定されるので、マスク１１を外さなければ脱落することがない。
【００２６】
このように、本考案のマスク支持具１は、フレーム部材２によってマスク１１のフィルター部分が顔に密着することなく口及び鼻を覆うので、マスク１１を装着しても口及び鼻周りの空間を確保でき、化粧崩れを防ぐとともに、マスク１１の装着に伴う息苦しさが軽減され、会話もしやすくなる。
【００２７】
また、フレーム部材２の縁部４に布素材３ａで形成されたカバー部材３を取り付けたことから、フレーム部材２の肌への当たりが改善して着け心地の良さが向上し、カバー部材３が着脱自在に構成されていることから、カバー部材３だけ取り外して洗浄できるのでマスク支持具１を清潔に保ちやすく、カバー部材３が劣化しても新しいものに交換すればよいので経済的である。
【００２８】
また、メッシュ面５の頂上部６が、マスク支持具１の装着時に鼻先を覆う箇所に位置するように設けられていることから、メッシュ面５の膨らみが顔の凹凸に沿ったものとなってマスク支持具１が確保する空間を最小限にできるので、マスク１１とともに装着してもマスク１１と顔との間に隙間を作ることがなく、マスク１１の密着性を阻害しない。
【００２９】
さらに、カバー部材３が、汗を吸い、蒸れにくく、接触冷感によって熱気を感じにくい素材で形成されているので、着け心地が良く、マスク１１とともに長時間装着しても不快に感じにくい。
【００３０】
なお、本考案は、以上の形態例に限定されることなく、考案の範囲内において種々の変更が可能である。例えば、本形態例では、カバー部材にゴム紐を用いているが、カバー部材をフレーム部材に着脱自在に取り付けられればよく、ゴム紐に代えて、縁部差込口の緩み締まりを調節可能な口紐にしてもよい。あるいは、ゴム紐を用いず、カバー部材の布素材自体を伸縮可能なものとしてもよい。
【００３１】
また、本形態例では、カバー部材には、接触冷感性の布素材を用いたもののみを採用しているが、季節に合わせて適切な温度感が得られるものに取り替え可能としてもよく、例えば、別のカバー部材を接触温感性の布素材で形成し、冬場に取り替えられるようにしてもいい。
【００３２】
また、本形態例におけるマスク支持具は、マスクとともに装着することを想定しているが、口及び鼻を覆うものであればマスクに限られず、例えば、防風・防寒用フェイスマスクや口元を覆えるネックウォーマーとともに用いてもよい。
【符号の説明】
【００３３】
１…マスク支持具、２…フレーム部材、３…カバー部材、３ａ…布素材、３ｂ…ゴム紐、４…縁部、５…メッシュ面、６…頂上部、７…縁部差込口、８…縁部保持部、１１…マスク
【図１】
0003231137.tif 000003
【図２】
0003231137.tif 000004
【図３】
0003231137.tif 000005
【図４】
0003231137.tif 000006